(57)【要約】【課題】耐震性の高いユニット塀及びこれを有する塀を提供することを目的とする。【解決手段】コンクリート製の塀本体１１と、該塀本体に結合して該塀本体を補強する補強部材１２とを備えるものにおいて、塀本体１１と補強部材１２は一体に形成されて板状のユニットをなし、上記塀本体１１は、少なくとも一方の面に凹部１１Ｂが形成され、上記補強部材１２は該凹部１１Ｂに収容された状態で結合し、上記補強部材１２はコンクリート材１１よりも比重の小さい軽量部材として形成されている。【選択図】  図１
2004285675.tif 000002
【特許請求の範囲】
【請求項１】
コンクリート製の塀本体と、該塀本体に結合して該塀本体を補強する補強部材とを備えるものにおいて、塀本体と補強部材は一体に形成されて板状のユニットをなし、上記塀本体は、少なくとも一方の面に凹部が形成され、上記補強部材は該凹部に収容された状態で結合し、上記補強部材はコンクリート材よりも比重の小さい軽量部材として形成されていることを特徴とするユニット塀。
【請求項２】
塀本体は、複数のユニット塀の塀本体同士を相互に連結可能な接合部を有していることとする請求項１に記載のユニット塀。
【請求項３】
塀本体は、地中に埋設される該塀本体の下部に、該塀本体の一方の面から直角に延び該下部の埋設時に地盤に設置される基礎部が形成されていることとする請求項１又は請求項２に記載のユニット塀。
【請求項４】
塀本体の基礎部は、上下に貫通する孔が形成されていることとする請求項３に記載のユニット塀。
【請求項５】
軽量部材は、塀本体との接面と逆側の面に、該軽量部材及び該塀本体のうち少なくとも軽量部材を覆う板状の表面部材が取り付けられていることとする請求項１乃至請求項４のいずれか一項に記載のユニット塀。
【請求項６】
表面部材は石材パネルであることとする請求項５に記載のユニット塀。
【請求項７】
軽量部材は、石材パネルとの接面上で該石材パネルの外周に沿って若しくはその近傍に沿って上記石材パネルを支持していることとする請求項６に記載のユニット塀。
【請求項８】
石材パネルは塀本体との接面上で該塀本体に対して変位可能となっていることとする請求項７に記載のユニット塀。
【請求項９】
塀本体の基礎部は、該基礎部の上面が地面から露出するように該基礎部が地盤に設置されたときに上方に開口する水溜め部が形成されていることとする請求項３に記載のユニット塀。
【請求項１０】
塀本体は、該塀本体の上部に外部から水を受けてこれを収容する水収容部を有し、該水収容部は、該塀本体の内部に横方向に延びる筒状の空間として形成され、若しくは、上記塀本体の上端面にて上方に開口し横方向に延びる溝として形成され、上記塀本体の上部の上記水収容部から上記塀本体の基礎部上の水溜め部へ水を流下あるいは滴下するようになっていることとする請求項９に記載のユニット塀。
【請求項１１】
塀本体は、該塀本体の面に、植物の培養のための培養土若しくは保水材が水収容部から水の滴下を受けるように取り付けられていることとする請求項１０に記載のユニット塀。
【請求項１２】
請求項１乃至請求項１１のいずれか一項に記載のユニット塀を複数相互に連結してなるコンクリート塀。
【発明の詳細な説明】
【０００１】
【発明の属する技術分野】
本発明は、コンクリート製の塀本体と該塀本体に結合して該塀本体を補強する補強部材とを一体に形成して板状のユニットとしたユニット塀及びこれを複数連結してなるコンクリート塀に関するものである。
【０００２】
【従来の技術】
住居の周囲などに設置される塀としては、従来、現場で、補強部材として基礎から上方に延びる鉄筋を横方向に所定間隔で複数配し、複数の小型の中空ブロックの中空部に上記鉄筋を通して、該中空ブロックを横方向に隣接させて並べるとともに該中空ブロックを上方へ多段をなすように積み上げた後、隣接する中空ブロック間の隙間へ、そして上記多段の中空ブロックの連通せる中空部へコンクリート材を流し込んで充填して構築される塀が知られている（例えば、特許文献１参照）。
【０００３】
しかし、特許文献１にかかる塀は、多数の中空ブロックを１つずつ現場で積み上げて構築しなければならないので、現場での作業量が多く、多くの人手を要したり、工期が長くなってしまうという問題があった。この問題は、ひいては、高コスト化を招くこととなる。
【０００４】
このような特許文献１にかかる問題を解決するものとして、均一厚の塀版と、該塀版の支持のための基礎ブロックとを、それぞれ予め工場にてプレキャストコンクリートで搬送可能な横方向長さのものに形成し、地盤を掘削して形成された側溝内のレベリングコンクリート上に複数の上記基礎ブロックを横方向に隣接させて設置・固定した後、上記塀版の下部を該基礎ブロックにボルト及びナットによって取り付けると共に塀版同士を接続し、しかる後に、上記側溝内の基礎ブロックを土で埋めて構築するコンクリート塀が知られている（例えば、特許文献２）。
【０００５】
この特許文献２においては、上記塀版及び基礎ブロックを予め工場で生産するため、上記特許文献１のような中空ブロックを現場で上方に積み上げたり該中空ブロックの中空部等へコンクリートを充填したりする手間が省けるので、現場での作業量が少なく、工期の短縮化及び低コスト化を図ることができる。
【０００６】
【特許文献１】
特開平１０−２３７９８６（図１〜図６）
【特許文献２】
特開２００１−２７９９５６（図３〜図６）
【０００７】
【発明が解決しようとする課題】
しかしながら、前出の特許文献２のコンクリート塀にあっては、耐震性については何ら改善されておらず、この点での問題が残る。我が国では、特に住宅の密集せる都会にあっては、地震による災害発生の防止の観点から、構造物には地震対策が強く求められている。塀にあっても、その例外でなく、耐震性が求められる。
【０００８】
上記特許文献１では、中空ブロックは鉄筋による補強がなされているし、特許文献２でも塀自体がコンクリートで作られているので、静荷重あるいは衝撃力の外力に対してはそれなりの強度を有していると考えられる。
【０００９】
しかし、耐震性について検討すると、特許文献１，２のいずれも、塀の上部の厚さが下部と同じであり、地震等において振動を受けた場合、振動振幅が大きくなる塀上部のコンクリートによる大重量がそのまま振動質量となって、耐震性を有しているとは言えない。すなわち、強度確保のために塀の厚さを大きくすると、そのまま塀上部の振動質量が大きくなって耐震性が低くなり、強度の確保と耐震性の確保は必ずしも同一ではない。
【００１０】
本発明は、このような事情に鑑みてなされたものであって、耐震性の向上を図り、かつ、取り扱いの容易なユニット塀及びこれを複数連結してなるコンクリート塀の提供を目的とする。又、本発明は、塀の面を有効利用でき、さらに塀が面する庭園等に趣きを与えることも目的とする。
【００１１】
【課題を解決するための手段】
本発明に係るユニット塀は、コンクリート製の塀本体と、該塀本体に結合して該塀本体を補強する補強部材とを備えている。ここで、コンクリート製とは、純コンクリート製のほか、鉄筋等で補強されているものをも含む。
【００１２】
かかるユニット塀において、本発明では、塀本体と補強部材は一体に形成されて板状のユニットをなし、上記塀本体は、少なくとも一方の面に凹部が形成され、上記補強部材は該凹部に収容された状態で結合し、上記補強部材はコンクリート材よりも比重の小さい軽量部材として形成されていることを特徴としている。
【００１３】
このような本発明によれば、凹部により塀本体は重量が軽減されるので、振動質量が小さくなって耐震性が改善される。凹部の周囲は厚くなっているので、強度の低下は然程大きくはならない。又、凹部には軽量部材による補強がなされるので、上記強度の低下はさらに小さくなり、結局、全体としてユニット塀は、強度の低下が殆どなく、耐震性を上げることとなる。上記振動質量の低減という観点から、上記凹部は塀本体の上部に形成されることが望ましい。
【００１４】
塀本体は、複数のユニット塀の塀本体同士を相互に連結可能な接合部を有していることが好ましい。この接合部で、例えばボルト等により連結され、複数のユニットは強固な塀をなす。
【００１５】
本発明において、塀本体は、地中に埋設される該塀本体の下部に、該塀本体の一方の面から直角に延び該下部の埋設時に地盤に設置される基礎部が形成されていることが好ましい。基礎部によって、レベリングコンクリート上の設置面積を増し、塀は安定し又、レベリングコンクリートへの強固な取付が可能となる。
【００１６】
上記塀本体の基礎部は、上下に貫通する孔が形成されていることが好ましい。この孔に上方からコンクリートを流し込むだけで、基礎部はレベリングコンクリートへの強固な取付けがなされる。
【００１７】
軽量部材は、塀本体との接面と逆側の面に、該軽量部材及び該塀本体のうち少なくとも軽量部材を覆う板状の表面部材が取り付けられているようにすることができる。この表面部材は、軽量部材の保護あるいは塀本体の美感の点から選定され、任意の材料が適用できる。例えば、表面部材を石材パネルとして、塀に高級感をもたらすことができる。
【００１８】
表面部材として石材パネルを使用する際には、軽量部材は、石材パネルとの接面上で該石材パネルの外周に沿って若しくはその近傍に沿って上記石材パネルを支持していることが好ましい。石材パネルは比較的高価で、衝撃等の外力に弱いので、これを周囲で軽量部材により補強し、搬送時の安全性を高める。
【００１９】
石材パネルは、補強部材が塀本体に取り付けられたとき、塀本体との接面上で該塀本体に対して変位可能となっていることが好ましい。例えば、塀の振動時の塀本体の変位により石材パネルがこの変位に対して自由であるので、過大な応力を塀本体から受けることなく石材パネルの保護となる。
【００２０】
又、上記塀本体の基礎部は、該基礎部の上面が地面から露出するように該基礎部が地盤に設置することもでき、その際に上方に開口する水溜め部が形成されているようにすることも可能である。上記水溜め部に金魚を入れたり、植物の水栽培もでき、塀の有効利用、そして趣きをももたらす。
【００２１】
さらに、塀本体は、該塀本体の上部に外部から水を受けてこれを収容する水収容部を有し、該水収容部は、該塀本体の内部に横方向に延びる筒状の空間として形成され、若しくは、上記塀本体の上端面にて上方に開口し横方向に延びる溝として形成され、上記塀本体の上部の上記水収容部から上記塀本体の基礎部上の水溜め部へ水を流下あるいは滴下するようになっているようにすることも可能である。水収容部が塀本体内部に横方向に延びる筒状空間として形成されているならば、複数のユニット塀が連結されたときに、水の搬送路として使えるし、上方に開口する溝として形成されているならばそこに供給された水が底の孔から流下して滝のごとくの趣きも出るし、滴下させれば、水溜め部への水の補給となる。
【００２２】
塀本体は、該塀本体の面に、植物の培養のための培養土若しくは保水材が水収容部から水の滴下を受けるように取り付けられているようにすることができ、植物への給水が自動的になされる。又、過剰な給水は培養土あるいは保水材から滴下して排水される。
【００２３】
【発明の実施の形態】
以下、添付図面にもとづき、本発明の実施の形態を説明する。
【００２４】
図１は本発明の一実施形態としてのユニット塀を複数組立て設置した塀の表面から見た斜視図、図２は地盤を省略して裏面から見た斜視図である。
【００２５】
図１及び図２における塀は、複数のユニット塀１０の側端面同士を互いに連結して塀を形成している。
【００２６】
各ユニット塀１０は、塀としての設置工事前に予め工場でユニットして作られており、塀本体１１とこれに取り付けられる軽量部材１２とを有し、軽量部材１２には表面部材として石材パネル１３が取り付けられている。
【００２７】
塀本体１１は、コンクリート製であるが、適宜鉄筋等を入れることも可能である。塀本体１１は、図に見られるように、塀面に対して直角な面での縦断面形状がＬ字状をなしており、下端でのこのＬ字状の張り出し部分が基礎部１１Ａとなっている。上記塀本体１１は該基礎部１１Ａよりも上方の部分、すなわち設置工事後に地面から垂立して塀として機能する範囲で、該基礎部１１Ａが設けられている側とは反対の側の面に周囲部に囲まれるようにして厚み方向に没した凹部１１Ｂが形成されている。この凹部１１Ｂは塀本体１１の下部よりも上部に優先して形成されることが好ましい。
【００２８】
上記凹部１１Ｂには、補強部材としての軽量部材１２が収められ取り付けられている。該軽量部材１２は、塀本体１１を形成しているコンクリートよりも比重の小さいものが選定され、例えば、発泡スチロール等の合成樹脂が一例として挙げられる。この軽量部材１２は、上記塀本体１１の凹部１１Ｂに適合した形状の大きさに予め成形してこれを塀本体１１に固定取付けすることとしても、あるいは上記凹部１１Ｂに材料を流し込んで成形してもよい。又、軽量部材１２の凹部１１Ｂへの固定取付けはどのような方法でもよいが、接着などは一例である。
【００２９】
本実施形態では、好ましい例として、上記軽量部材１２には、塀本体１１の凹部１１Ｂの底面との接面と反対側の面に、表面部材として石材パネル１３が取り付けられている。この石材パネル１３は、軽量部材１２に取り付けられているものの該軽量部材１２の周囲から張り出しており、塀本体１１の面と同じ大きさとなっている。したがって、軽量部材１２を塀本体１１に取り付けた際には、石材パネル１３は、張り出し部分で塀本体１１の面に接面すると共に塀本体１１の外形と一致する。好ましくは、石材パネル１３は塀本体１１には固着されずに、塀本体１１に取り付けられた軽量部材１２によって保持され、塀本体１１に対しては接面上で変位可能、例えば摺動可能である。
【００３０】
上記石材パネル１３は、例えば天然石もしくは人工石で高級感のあるもので薄く作られていて、又、軽量部材１２に取り付けられることによって、損傷しやすい軽量部材１２を保護する。
【００３１】
さらに、上記塀本体１１は、好ましい形態として図２に見られるように、凹部１１Ｂが形成されている面とは反対側の面で、両側端に接合部１４を有している。該接合部１４は、隣接する二つのユニット塀１０同士を連結するためのものであり、その形態に限定はないが、図２の例では、コンクリートで一体的に保持された「コ」字状金具に連結孔１４Ａを形成しておき、図示しないボルト等を上記連結孔１４Ａに通しナットで緊締することにより連結される。
【００３２】
又、図２に示す例では、好ましい形態として、塀本体１１の基礎部１１Ａには上下に貫通する固定孔１５が形成されている。塀本体１１をレベリングコンクリートＰ（図１参照）に固定する際、上記固定孔１５へコンクリートを流し込むだけで、基礎部１１ＡはレベリングコンクリートＰに固定される。さらにはレベリングコンクリートＰに固定ボルト等が垂立して設けられているときには、基礎部１１Ａを上記固定孔１５内で固定ボルトで固定した後にこの固定孔１５内へコンクリートを流し込めば、さらにその固定強度は向上する。
【００３３】
図３には、他の実施形態として、接合部の他の例を示している。図３（Ａ）では塀本体１１の側端面が互いに適合する段部１１Ｃ，１１Ｄをなし、ここで二つの塀本体１１は互いに上下方向に支え合い、塀面で上記段部１１Ｃの下そして１１Ｄの上に固定されたＬ金具１６のボルト孔１６Ａにボルト（図示せず）を通して、上下方向で締めることにより接合される。
【００３４】
又、図３（Ｂ）の例では、ユニット塀１１には横方向にシース管１７が両端で開口するようにして埋設されている。複数の塀本体１１の接合には、このシース管１７へワイヤあるいはロッド（共に図示せず）を通してその突出端で締めつけ、上記複数の塀本体１１を一括して接合できる。又、シース管へピンを打ち込んで接合させることも、又、両端でシース管内径に互いに逆ねじのねじ面を形成し、ここにねじ体を螺合させて接合することもできる。
【００３５】
さらに、他の実施形態としての軽量部材１２の形態について説明すると、図１の軽量部材１２は図４に見られるごとく、塀本体１１の大きさにほぼ等しい表面部材としての石材パネル１３の裏面に、該石材パネル１３の周囲部を残すような大きさ・形状となっていた。しかし、図５（Ａ），（Ｂ）に見られるように、軽量部材１２の中央部をなくすことにより、軽量部材１２の使用量を低減できる。軽量部材１２は、石材パネル１３の周囲部に近い部分で該石材パネル１３の強度を補強するので、上記中央部での軽量部材の不存在は殆ど強度低下をもたらすことはない。なお、図５（Ｂ）は軽量部材１２を塀本体１１へ取り付けた状態での縦断面図である。
【００３６】
前出の実施形態では、塀外面すなわち表面に石材パネルを設けて美感をもたせていたが、内面すなわち家庭の庭の方に面する裏面を有効に活用して美感や趣きをもたらすようにした例を、さらに他の実施形態として説明する。
【００３７】
図６において、塀本体１１はその基礎部１１Ａが厚く形成されていて、ユニット塀が地盤に設置・固定されたときに、該基礎部１１Ａの上部が地面から突出するようになっている。この肉厚の基礎部１１Ａには水溜め部１１Ｃが形成されている。この水溜め部１１Ｃは、庭に用いる水のための種々の用途に利用できる。例えば、金魚等を入れる水槽として、あるいは水生植物栽培の鉢として、さらに庭に散水するための水溜めに用いることができる。この基礎部１１Ａは水溜め部１１Ｃにより中空となっているが、比較的外形が大きくなり塀本体１１の安定性を向上する。又、上記塀本体１１の上端部は肉厚となっていて、ここに水収容部としての溝１８が形成され、その底部には下方に貫通する滴下孔１８Ａが複数設けられている。複数のユニット塀が接合された際に上記溝１８は、一箇所で水の供給を受けた際に、流路を形成し、すべてユニット塀に水を導く。そして溝内の水は上記滴下孔１８Ａから水が滴下し上記水留め部１１Ｃに至り、溜められる。上記滴下孔１８Ａの孔径を大きくすれば、水は流下することとなり、庭からみて滝のような趣きをかもし出す。なお、水収容部は上記溝に限らず塀本体内で横方向に延びる筒状中空孔であってもよい。
【００３８】
さらに、上記溝１８が形成されている塀本体１１の上端部は厚くなっているので塀本体１１にとって補強フランジの機能を果たす。その際、塀の高さ方向での肉厚部の寸法は小さく、しかも溝１８でえぐられているため、然程の重量増加にはならない。
【００３９】
さらに、塀本体１１の裏面を活用する例としてのさらに他の実施形態が図７に示されている。図７（Ａ）の例では、塀本体１１は、水収容部として図６のものと同様な溝１８と滴下孔１８Ａが形成されていると共に、溝１８の下方に塀本体裏面に突出して横方向に延びる突出部１９が設けられ、この突出部１９内に横方向に貫通孔２０が形成されている。この貫通孔２０と上記滴下孔１８Ａとは塀本体１１内部で連通していて溝１８内の水が滴下孔１８Ａを通じて上記貫通孔２０に供給されるようになっている。上記貫通孔２０は、さらに突出部１９の外面に開口する開口部２１と連通している。上記貫通孔２０そして開口部２１内に培養土や保水材が入れられており、上記開口部２１から植物を栽培できる。培養土は上記貫通孔２０へ滴下する水が供給される。上記貫通孔２０に代え、各開口部２１にそれぞれ独立して連通する培養土収容のための内部空間を形成してもよい。また、開口部２１は突出部１９の側面に限らず上面にも形成できる。
【００４０】
次に、図７（Ｂ）の例にあっては、図７の突出部１９に代え、塀本体１１の裏面に保水材としての板状のポーラス材２２を取り付けている。このポーラス材２２は、培養土を含んだり含まないこともあるが、溝１８から滴下孔１８Ａを通して滴下する水を受けてこれを十分に貯え、表面に苔あるいは他の植物を植えることができる。
【００４１】
【発明の効果】
本発明は、以上のごとく、コンクリート製の塀本体の少なくとも一方の面に凹部を形成し、ここに軽量部材を取り付けることとしたので、外力に対する強度を然程低下することなく、振動質量、特に上部での振動質量を小さくすることができ、地震等における耐震性が向上する。又、軽量部材による補強も可能となる。さらには、軽量部材の面に表面パネルを取り付けたり、塀本体の裏面あるいは基礎部を活用して美感・趣きをもたらし、高級感を与えたり有用性を生ずる。しかも、本発明は塀ユニットとして工場で製造できるので、搬送容易なばかりか塀設置の工期も短縮され、工事費の低減も図れる。
【図面の簡単な説明】
【図１】本発明一実施形態としてのユニット塀を複数接合して塀としたときの一方の面から見たときの断面斜視図である。
【図２】図１の塀を地盤を省略して他方の面から見たときの斜視図である。
【図３】他の実施形態としての接合部の例を示し、（Ａ）は塀本体に段部を形成し、（Ｂ）はシース管を設けたときの斜視図である。
【図４】図１の石材パネルを支持する軽量部材の斜視図である。
【図５】さらに他の実施形態としての石材パネルと軽量部材とを示し、（Ａ）はその斜視図、（Ｂ）は塀本体に取り付けられたときの断面斜視図である。
【図６】さらに他の実施形態としての塀本体の斜視図である。
【図７】（Ａ），（Ｂ）共に、さらに他の実施形態を示す塀本体の斜視図である。
【符号の説明】
１０  ユニット塀
１１  塀本体
１１Ａ  基礎部
１１Ｂ  凹部
１１Ｃ  水溜め部
１２  補強部材（軽量部材）
１３  表面部材（石材パネル）
１４  接合部
１５  孔（固定孔）
１８  水収容部（溝）
２２  保水材（ポーラス材）
【図１】
2004285675.tif 000003
【図２】
2004285675.tif 000004
【図３】
2004285675.tif 000005
【図４】
2004285675.tif 000006
【図５】
2004285675.tif 000007
【図６】
2004285675.tif 000008
【図７】
2004285675.tif 000009